(57)【要約】【課題】光記録媒体のスキュー調整に対する対物レンズのチルト動作が対物レンズのフォーカシング調整及びトラッキング調整に影響するのを軽減する。【解決手段】光ピックアップ１０４のサスペンションホルダ１４をナイフエッジ型支持機構２２によりベース部材１５の鉛直支持部１５１にフォーカシング方向（Ｚ軸）及びトラッキング方向（Ｘ軸）に共に直交する軸線２３を中心にした回転方向であるチルト方向に揺動可能に支持するように構成した。【選択図】      図２
2005025802.tif 000002
【特許請求の範囲】
【請求項１】
光記録媒体の情報記録面に対向するように配置される対物レンズと、
前記対物レンズを保持するレンズホルダと、
前記レンズホルダに離間して配置されたサスペンションホルダと、
前記レンズホルダと前記サスペンションホルダとにわたって設けられ前記レンズホルダを前記光記録媒体の情報記録面に対し前記対物レンズの光軸が直角となるフォーカシング方向と前記光記録媒体の半径方向であるトラッキング方向に揺動可能に支持する支持手段と、
前記レンズホルダを前記フォーカシング方向に駆動するフォーカシング用駆動手段と、
前記レンズホルダを前記トラッキング方向に駆動するトラッキング用駆動手段とを備え、
前記光記録媒体の情報記録面に前記対物レンズを通して光ビームを照射することにより前記情報記録面に情報を記録し、または前記情報記録面からの反射光ビームから情報を再生する光ピックアップであって、
前記レンズホルダ及び前記サスペンションホルダに臨ませて配置されたベース部材と、
前記ベース部材上で前記サスペンションホルダを前記フォーカシング方向及びトラッキング方向に共に直交する軸線を中心にした回転方向であるチルト方向に揺動可能に支持するナイフエッジ型支持機構と、
前記軸線を中心に前記レンズホルダ及び前記サスペンションホルダをチルト方向に駆動するチルト用駆動手段とを有する、
ことを特徴とする光ピックアップ。
【請求項２】
前記ナイフエッジ型支持機構は、前記サスペンションホルダ及びベース部材の一方に該一方から他方へ臨むように延在して設けられたナイフエッジと、前記サスペンションホルダ及びベース部材の他方に設けられ前記ナイフエッジのエッジ部が係合する係合溝と、前記ナイフエッジのエッジ部と前記係合溝との係合状態が保持されるように前記サスペンションホルダとベース部材とを付勢するバネ部材とを有することを特徴とする請求項１記載の光ピックアップ。
【請求項３】
前記ナイフエッジのエッジ部と係合溝との係合部分にダンピング用ゲルが介在されていることを特徴とする請求項２記載の光ピックアップ。
【請求項４】
前記チルト用駆動手段は、前記サスペンションホルダ及びベース部材の一方に設けられた一対のチルト用コイルと、このチルト用コイルに対向して前記サスペンションホルダ及びベース部材の他方に設けられたマグネットとから構成されていることを特徴とする請求項１記載の光ピックアップ。
【請求項５】
前記支持手段は、バネ性を有する複数のサスペンションワイヤから構成されていることを特徴とする請求項１記載の光ピックアップ。
【請求項６】
前記サスペンションワイヤは、前記フォーカシング用駆動手段及びトラッキング用駆動手段への信号供給用の信号線を兼ねていることを特徴とする請求項５記載の光ピックアップ。
【請求項７】
送り手段により光記録媒体の半径方向に移動される光ピックアップと、
前記光記録媒体の回転と前記光ピックアップの移動とを記録及び／または再生動作に対応して制御する制御手段と、
前記光ピックアップによる前記光記録媒体に対する記録及び／または再生動作の信号処理をする信号処理手段とを備える光ディスク装置であって、
前記光ピックアップは、
光記録媒体の情報記録面に対向するように配置される対物レンズと、
前記対物レンズを保持するレンズホルダと、
前記レンズホルダに離間して配置されたサスペンションホルダと、
前記レンズホルダと前記サスペンションホルダとにわたって設けられ前記レンズホルダを前記光記録媒体の情報記録面に対し前記対物レンズの光軸が直角となるフォーカシング方向と前記光記録媒体の半径方向であるトラッキング方向に揺動可能に支持する支持手段と、
前記レンズホルダを前記フォーカシング方向に駆動するフォーカシング用駆動手段と、
前記レンズホルダを前記トラッキング方向に駆動するトラッキング用駆動手段と、
前記レンズホルダと前記サスペンションホルダに臨ませたベース部材と、
前記ベース部材上に前記サスペンションホルダを前記フォーカシング方向及びトラッキング方向に共に直交する軸線を中心にした回転方向であるチルト方向に揺動可能に支持するナイフエッジ型支持機構と、
前記軸線を中心に前記レンズホルダ及び前記サスペンションホルダをチルト方向に駆動するチルト用駆動手段とを備える、
ことを特徴とする光ディスク装置。
【請求項８】
前記ナイフエッジ型支持機構は、前記サスペンションホルダ及びベース部材の一方に該一方から他方へ臨むように延在して設けられたナイフエッジと、前記サスペンションホルダ及びベース部材の他方に設けられ前記ナイフエッジのエッジ部が係合する係合溝と、前記ナイフエッジのエッジ部と前記係合溝との係合状態が保持されるように前記サスペンションホルダとベース部材とを付勢するバネ部材とを有することを特徴とする請求項７記載の光ディスク装置。
【請求項９】
前記ナイフエッジのエッジ部と係合溝との係合部分にダンピング用ゲルが介在されていることを特徴とする請求項８記載の光ディスク装置。
【請求項１０】
前記チルト用駆動手段は、前記サスペンションホルダ及びベース部材の一方に設けられた一対のチルト用コイルと、このチルト用コイルに対向して前記サスペンションホルダ及びベース部材の他方に設けられたマグネットとから構成されていることを特徴とする請求項７記載の光ディスク装置。
【請求項１１】
前記支持手段は、バネ性を有する複数のサスペンションワイヤから構成されていることを特徴とする請求項７記載の光ディスク装置。
【請求項１２】
前記サスペンションワイヤは、前記フォーカシング用駆動手段及びトラッキング用駆動手段への信号供給用の信号線を兼ねていることを特徴とする請求項１１記載の光ディスク装置。
【請求項１３】
前記対物レンズの光軸に対する前記光記録媒体の傾きを検出するスキューセンサと、前記スキューセンサで検出された検出信号からチルト角に対応するスキューエラー信号を生成し、このスキューエラー信号により前記対物レンズの光軸を前記光記録媒体の情報記録面に直交するように前記チルト用駆動手段を制御するスキューサーボ制御手段を更に備えることを特徴とする請求項７記載の光ディスク装置。
【発明の詳細な説明】
【０００１】
【発明の属する技術分野】
本発明は、高密度ディスクとして知られるＣＤやＤＶＤなどの光記録媒体の記録及び／または再生に使用される光ピックアップ及び光ディスク装置に関し、特に対物レンズのフォーカシング調整、トラッキング調整及びスキュー調整を可能にした３軸アクチュエータ方式の光ピックアップ及びこれを用いた光ディスク装置に関する。
【０００２】
【従来の技術】
ＣＤ、ＤＶＤなどの光記録媒体の記録再生に使用される３軸アクチュエータ方式の光ピックアップは、光ビームを光記録媒体の情報記録面に集光する対物レンズと、この対物レンズを保持するレンズホルダを備え、このレンズホルダは、固定側のサスペンションホルダに固着された４本のサスペンションワイヤにより片持ち支持されている。
前記レンズホルダには、１つのフォーカシングコイルと一対のトラッキングコイルが組み込まれ、このフォーカシングコイル及びトラッキングコイルは、ヨーク及びマグネットにより構成される磁気回路の電磁作用で、対物レンズを光記録媒体の情報記録面に対して接近し離間する方向であるフォーカシング方向に動作させてフォーカシング調整を行うとともに、対物レンズを光記録媒体の半径方向であるトラッキング方向に移動させてトラッキング調整を行い、これにより、対物レンズを介して光記録媒体の情報記録面に照射される光ビームを情報記録面上に集光させて、光記録媒体への情報の記録または光記録媒体に記録されている情報の再生を行うようにしている。
【０００３】
また、従来の光ピックアップは、対物レンズのスキュー調整用として、一対ずつのチルト用マグネットとチルト用コイルを備え、このチルト用マグネット及びチルト用コイルの一方が前記レンズホルダの後端に組み付けられ、さらに、このレンズホルダの後端に相対向するサスペンションホルダの箇所にはチルト用マグネット及びチルト用コイルの他方を組み付けられ、このチルト用コイルに、対物レンズの光軸と光記録媒体の情報記録面との間に生じたスキュー角に対応した電流を供給することにより、チルト用コイルに発生する磁界とチルト用マグネットとの電磁作用でレンズホルダを４本のサスペンションワイヤがねじられる方向に回動し、これにより、対物レンズの光軸を傾けて光記録媒体の情報記録面と対物レンズとの間の相対的なスキュー角を低減するようにしている（例えば、特許文献１参照）。
【０００４】
【特許文献１】
特開２００１−１１００７６
【０００５】
【発明が解決しようとする課題】
しかしながら、上記のような従来の光ピックアップでは、チルト用コイルとチルト用マグネットとの電磁作用により４本のサスペンションワイヤが同時にねじられる方向にレンズホルダを回動し、光記録媒体の情報記録面に対する対物レンズの光軸を傾けることによりスキュー調整を行うものであるため、このスキュー調整時のチルト動作が対物レンズのフォーカシング調整及びトラッキング調整に影響を与え、特にスキュー調整時のチルト動作が対物レンズのトラッキングエラー信号に直流オフセットとして付加され、これが対物レンズのトラッキング調整精度を悪化させるおそれがあるほか、ＤＶＤなどの高密度ディスクの記録・再生時の動作には追従できにくくなるという問題がある。
【０００６】
また、従来の光ピックアップでは、そのスキュー調整に際しチルト動作がなされると、レンズホルダを片持ち支持する４本のサスペンションワイヤがチルト方向にねじられるため、チルト用コイルとチルト用マグネットとの電磁作用により、ねじれ方向に動作させることで行うものであるため、各サスペンションワイヤ間のねじり弾性差などがあると、対物レンズの光軸と直交すべきレンズホルダのチルト中心軸線が対物レンズの光軸からずれてしまうとともに、このチルトの回転中心線はスキュー調整が対物レンズの光学特性に影響を与えることのない、対物レンズの光軸上に位置する理想的な主点から遠くなり、その結果、スキュー調整時のレンズの性能変化が大きくなり、ＤＶＤなどの高密度ディスクの記録・再生に悪影響を及ぼす問題がある。
【０００７】
本発明は、上述のような問題を解決するためになされたもので、光記録媒体のスキュー調整に対する対物レンズのチルト動作が対物レンズのフォーカシング調整及びトラッキング調整に影響するのを軽減できるようにした光ピックアップ及びこれを用いた光ディスク装置を提供することを目的とする。
【０００８】
【課題を解決するための手段】
上記目的を達成するために本発明は、光記録媒体の情報記録面に対向するように配置される対物レンズと、前記対物レンズを保持するレンズホルダと、前記レンズホルダに離間して配置されたサスペンションホルダと、前記レンズホルダと前記サスペンションホルダとにわたって設けられ前記レンズホルダを前記光記録媒体の情報記録面に対し前記対物レンズの光軸が直角となるフォーカシング方向と前記光記録媒体の半径方向であるトラッキング方向に揺動可能に支持する支持手段と、前記レンズホルダを前記フォーカシング方向に駆動するフォーカシング用駆動手段と、前記レンズホルダを前記トラッキング方向に駆動するトラッキング用駆動手段とを備え、前記光記録媒体の情報記録面に前記対物レンズを通して光ビームを照射することにより前記情報記録面に情報を記録し、または前記情報記録面からの反射光ビームから情報を再生する光ピックアップであって、前記レンズホルダと前記サスペンションホルダに臨ませたベース部材と、前記ベース部材上に前記サスペンションホルダを前記フォーカシング方向及びトラッキング方向に共に直交する軸線を中心にした回転方向であるチルト方向に揺動可能に支持するナイフエッジ型支持機構と、前記軸線を中心に前記レンズホルダ及び前記サスペンションホルダをチルト方向に駆動するチルト用駆動手段とを有することを特徴とする。
【０００９】
本発明の光ピックアップにおいては、ナイフエッジ型支持機構がサスペンションホルダをベース部材にフォーカシング方向及びトラッキング方向に共に直交する軸線を中心にチルト方向に揺動可能に支持する。
よって、本発明の光ピックアップによれば、光記録媒体のスキュー調整に対する対物レンズのチルト動作が対物レンズのフォーカシング調整及びトラッキング調整に影響するのを軽減できる。
【００１０】
また、本発明は、送り手段により光記録媒体の半径方向に移動される光ピックアップと、前記光記録媒体の回転と前記光ピックアップの移動とを記録及び／または再生動作に対応して制御する制御手段と、前記光ピックアップによる前記光記録媒体に対する記録及び／または再生動作の信号処理をする信号処理手段とを備える光ディスク装置であって、前記光ピックアップは、光記録媒体の情報記録面に対応するように配置される対物レンズと、前記対物レンズを保持するレンズホルダと、前記レンズホルダに離間して配置されたサスペンションホルダと、前記レンズホルダと前記サスペンションホルダとにわたって設けられ前記レンズホルダを前記光記録媒体の情報記録面に対し前記対物レンズの光軸が直角となるフォーカシング方向と前記光記録媒体の半径方向であるトラッキング方向に揺動可能に支持する支持手段と、前記レンズホルダを前記フォーカシング方向に駆動するフォーカシング用駆動手段と、前記レンズホルダを前記トラッキング方向に駆動するトラッキング用駆動手段と、前記レンズホルダと前記サスペンションホルダに臨ませたベース部材と、前記ベース部材上に前記サスペンションホルダを前記フォーカシング方向及びトラッキング方向に共に直交する軸線を中心にした回転方向であるチルト方向に揺動可能に支持するナイフエッジ型支持機構と、前記軸線を中心に前記レンズホルダ及び前記サスペンションホルダをチルト方向に駆動するチルト用駆動手段とを備えることを特徴とする。
【００１１】
本発明の光ディスク装置においては、光ピックアップのナイフエッジ型支持機構がサスペンションホルダをベース部材にフォーカシング方向及びトラッキング方向に共に直交する軸線を中心にチルト方向に揺動可能に支持する。
よって、本発明の光ディスク装置によれば、光記録媒体のスキュー調整に対する対物レンズのチルト動作が対物レンズのフォーカシング調整及びトラッキング調整に影響するのを軽減できる。
【００１２】
【発明の実施の形態】
以下、本発明による光ピックアップ及びこの光ピックアップを用いた光ディスク装置の実施の形態について、図面を参照して詳細に説明する。
図１は本発明にかかるスキュー検出装置及び光ピックアップを備えた光ディスク装置の構成を示すブロック図、図２は本発明にかかる光ピックアップの一実施の形態を示す斜視図、図３は図２の３−３線に沿う正面図、図４は図２の４−４線に沿う断面図、図５は本発明の実施の形態におけるナイフエッジと対物レンズとの位置関係を示す説明図である。
【００１３】
まず、図１に示す光ディスク装置１０１の構成について説明する。
この光ディスク装置１０１は、ＣＤ，ＤＶＤやＭＤ，ＣＤ−Ｒ／ＲＷのような光記録媒体である光ディスク１０２を回転駆動する駆動手段としてのスピンドルモータ１０３と、光ピックアップ１０４と、この光ピックアップ１０４を光ディスク１０２の半径方向に移動する駆動手段としての送りモータ１０５とを備えている。
ここで、スピンドルモータ１０３及び送りモータ１０５は、システムコントローラ１０７からの指令に基づいて制御されるサーボ制御部１０９により所定の回転数で駆動制御される構成になっている。
【００１４】
図１に示す信号変復調器＆ＥＣＣブロック１０８は、信号の変調、復調及びＥＣＣ（エラー訂正符号）の付加を行う。
光ピックアップ１０４は、信号変復調器＆ＥＣＣブロック１０８の指令に従って、回転する光ディスク１０２の情報記録面に対し、レーザ発光源等の光源ＬＤからの光束を記録／再生用のスポットにして照射されるように構成されている。さらに、光ピックアップ１０４は、光ディスク１０２の情報記録面から反射される反射光束に応じて、光ピックアップ１０４の光検出手段ＰＤから出力される各種の信号をプリアンプ１２０に対して供給するように構成されている。
【００１５】
前記プリアンプ１２０は、情報記録面からの反射光束に従い光ピックアップ１０４の光検出手段ＰＤから出力される各種の信号に基づいてフォーカシングエラー信号、トラッキングエラー信号、ＲＦ信号等を生成できるように構成されている。また、再生対象とされる光記録媒体の種類に応じて、サーボ制御部１０９、信号変復調器＆ＥＣＣブロック１０８等により、これらの信号に基づく復調及び誤り訂正処理等の所定の処理が行われる。
ここで、信号変復調器＆ＥＣＣブロック１０８により復調された記録信号が、例えばコンピュータのデータストレージ用であれば、インタフェース１１１を介して外部コンピュータ１３０等に送出される。これにより、外部コンピュータ１３０等は光ディスク１０２に記録された信号を再生信号として受け取ることができるように構成されている。
【００１６】
また、信号変復調器＆ＥＣＣブロック１０８により復調された記録信号がオーディオ・ビジュアル用であれば、Ｄ／Ａ，Ａ／Ｄ変換器１１２のＤ／Ａ変換部でデジタル／アナログ変換され、オーディオ・ビジュアル処理部１１３に供給される。そして、このオーディオ・ビジュアル処理部１１３でオーディオ・ビデオ信号処理が行われ、オーディオ・ビジュアル信号入出力部１１４を介して外部の撮像・映写機器に伝送される。
【００１７】
前記光ピックアップ１０４には、例えば光ピックアップ１０４を光ディスク１０２上の所定の記録トラックまで移動させるための送りモータ１０５が連結されている。また、スピンドルモータ１０３の制御と、送りモータ１０５の制御と、光ピックアップ１０４における２軸アクチュエータ用のフォーカシング／トラッキング駆動手段１１９による対物レンズ１２のフォーカシング方向及びトラッキング方向の制御は、それぞれサーボ制御部１０９により行われる。
また、レーザ制御部１２１は、光ピックアップ１０４におけるレーザ光源ＬＤを制御するものであり、この光源ＬＤの出力パワーを記録モード及び再生モードに応じて制御する構成になっている。
【００１８】
前記光ピックアップ１０４は、対物レンズ１２の光軸に対する光ディスク１０２の傾き（スキュー）を検出するスキューセンサ１１５を有し、このスキューセンサ１１５で検出された検出信号はスキューエラー信号処理部１１６により傾き（スキュー）角に対応するスキューエラー信号に変換され、このスキューエラー信号がチルトサーボ制御手段１１８に入力される。
【００１９】
チルトサーボ制御手段１１８は、前記スキューエラー信号に基づいてチルト用駆動手段１１７を制御し、これにより、チルト用駆動手段１１７は、対物レンズ１２の光軸が光ディスク１０２の情報記録面に直交するように対物レンズ１２を揺動（チルト）させる。
また、チルトサーボ制御部１１８は、システムコントローラ１０７からの制御指令に基づいても制御できる構成になっている。
【００２０】
次に、図２〜図４により本発明にかかる光ピックアップ１０４の構成について説明する。
図２に示す光ピックアップ１０４は、対物レンズ１２を図１に示す光ディスク１０２の情報記録面に対し垂直なフォーカシング方向のＺ軸と光ディスクの半径方向であるトラッキング方向のＸ軸及びこのＺ軸とＸ軸に共に直交するＹ軸の軸線回りであるチルト方向の３方向に駆動することで、光ディスク１０２の面振れや偏心及びスキューに対して追従できるようにした３軸アクチュエータ方式の光ピックアップである。
この光ピックアップ１０４は、図２に示すように、光ディスク１０２の情報記録面に対向するように配置される対物レンズ１２と、この対物レンズ１２をその光軸がＺ軸と一致するように保持するレンズホルダ１３と、このレンズホルダ１３の対物レンズ配置側と反対の後端側に光ディスク１０２の厚さ方向に対して直交する方向に離間して配置されたサスペンションホルダ１４と、このサスペンションホルダ１４の後部からレンズホルダ１３の下面側へ臨ませて配置されたベース部材１５を備え、このベース部材１５は、光ピックアップ１０４を保持するとともに光ディスク１０２の半径方向に移動される構成になっている。
【００２１】
前記レンズホルダ１３には、レンズホルダ１３をフォーカシング方向（Ｚ軸）に駆動するフォーカシング用コイル１６が装着され、このフォーカシング用コイル１６に対向してマグネット１７がベース部材１５に装着されている。このフォーカシング用コイル１６とマグネット１７はフォーカシング用駆動手段を構成する。
また、前記レンズホルダ１３には、レンズホルダ１３をトラッキング方向（Ｘ軸）に駆動する一対のトラッキング用コイル１８が装着され、このトラッキング用コイル１８に対向してマグネット１９がベース部材１５に装着されている。このトラッキング用コイル１８とマグネット１９はトラッキング用駆動手段を構成する。
【００２２】
前記レンズホルダ１３のＸ軸方向の両側端には、一対ずつの平行するサスペンションワイヤ２０，２１の一端が固着され、この各サスペンションワイヤ２０，２１の他端はサスペンションホルダ１４の両端箇所に固着されている。また、この２対のサスペンションワイヤ２０，２１は、レンズホルダ１３を光ディスク１０２の情報記録面に対し対物レンズ１２の光軸が直角となるフォーカシング方向（Ｚ軸）と光ディスク１０２の半径方向であるトラッキング方向（Ｘ軸）に揺動可能に支持するためのもので、請求項に示す支持手段を構成している。また、前記サスペンションワイヤ２０，２１は、フォーカシング用コイル１６及びトラッキング用コイル１８への信号供給用の信号線を兼ねている。
【００２３】
前記ベース部材１５は、サスペンションホルダ１４の後面に対向して平行にかつ鉛直に設けた鉛直支持部１５１を有し、この鉛直支持部１５１にはサスペンションホルダ１４がナイフエッジ型支持機構２２によりチルト方向に揺動可能に支持されている。すなわち、このナイフエッジ型支持機構２２は、ベース部材１５の鉛直支持部１５１にサスペンションホルダ１４を前記フォーカシング方向（Ｚ軸）及びトラッキング方向（Ｘ軸）に共に直交する軸線２３（図４参照）を中心にした回転方向であるチルト方向に揺動可能に支持するものである。
【００２４】
前記ナイフエッジ型支持機構２２は、図２〜図４に示すように、鉛直支持部１５１の上端中央部分にサスペンションホルダ１４の上端面に臨むように延在して設けた、下方へ向け逆三角形状に突出するエッジ部２２１ａを有するナイフエッジ２２１と、このナイフエッジ２２１と対向するサスペンションホルダ１４の上端面箇所に形成され、エッジ部２２１ａが係合されるＶ字状の係合溝２２２と、ナイフエッジ２２１のエッジ部２２１ａと係合溝２２２とが係合状態を保持できるようにナイフエッジ２２１とサスペンションホルダ１４とを上下方向から付勢するバネ部材２２３とから構成される。
【００２５】
前記バネ部材２２３は板ばね材を略コの字状に曲げ加工することにより形成されるもので、このバネ部材２２３の折り曲げ上辺２２３ａは鉛直支持部１５１にその後面からサスペンションホルダ１４側へ圧入嵌合することにより固着され、さらに、バネ部材２２３の折り曲げ下辺２２３ｂは鉛直支持部１５１に形成した開口１５１ａを貫通してサスペンションホルダ１４に圧入嵌合することにより固着される。
また、ナイフエッジ２２１のエッジ部２２１ａと係合溝２２２との係合部分には、エッジ部２２１ａと係合溝２２２とのダンピングに用いられるシリコン系のゲル２４が介在されている。
【００２６】
前記チルト用駆動手段１１７は、軸線２３（図５参照）を中心にして、サスペンションホルダ１４及びこれにサスペンションワイヤ２０，２１を介して支持されたレンズホルダ１３をチルト方向に駆動するものであり、サスペンションホルダ１４の下端面中央部に設けたマグネット１１７ａと、このマグネット１１７ａに対向してベース部材１５に配置した一対のチルト用コイル１１７ｂとから構成されている。
【００２７】
このように構成された光ピックアップ１０４において、ＣＤやＤＶＤのような光ディスク１０２のターンテーブルへのチャックング状態または光ディスク１０２の反りなどにより、光ディスク１０２に傾き（スキュー）が生じると、この傾き（スキュー）はスキューセンサ１１５により検出される。このスキューセンサ１１５の検出信号はスキューエラー信号処理部１１６により傾き（スキュー）角に対応するスキューエラー信号に変換され、このスキューエラー信号に対応する電流をスキューサーボ制御手段１１８を介してチルト用駆動手段１１７のチルト用コイル１１７ｂに供給する。これにより、チルト用コイル１１７ｂに生じた磁界のマグネット１１７ａとの電磁作用で、サスペンションホルダ１４を図４に示す軸線２３を中心にして矢印２５に示すチルト方向に揺動させ、対物レンズ１２の光軸が光ディスク１０２の情報記録面に直交するように回動して光ディスク１０２のスキューを調整する。
【００２８】
このような本実施の形態における光ピックアップ及びこれを用いた光ディスク装置によれば、サスペンションホルダ１４のベース部材１５への支持にナイフエッジ型支持機構２２を用いることにより、サスペンションホルダ１４はベース部材１５の鉛直支持部１５１に対してナイフエッジ２２１で支持されるから、この支持部分の摩擦抵抗は限りなくゼロに等しく、その結果、光ディスク１０２のスキュー調整に対する対物レンズ１２のチルト動作を高精度にコントロールすることができるとともに、光ディスク１０２のスキュー調整時における対物レンズ１２のチルト動作が対物レンズ１２のフォーカシング調整及びトラッキング調整に影響するのを大幅に軽減することができる。
【００２９】
また、この実施の形態によれば、サスペンションホルダ１４がベース部材１５の鉛直支持部１５１にナイフエッジ型支持機構２２によって揺動可能に支持される構成にすることにより、図５に示すように、サスペンションホルダ１４のチルト方向への回転中心である軸線２３を対物レンズ１２の光軸１２ａと直交するように安定に保持することができるとともに、チルト方向の回転中心である軸線２３をスキュー調整が対物レンズ１２の光学特性に影響を与えることのない、対物レンズ１２の光軸１２ａ上に位置する理想的な主点２７に極めて近接させることができ、これにより、スキュー調整時の対物レンズ１２の性能を損うことがなくなり、かつ、ＤＶＤなどの高密度ディスクの記録・再生を好適に行うことができる。
また、ナイフエッジ２２１のエッジ部２２１ａと係合溝２２２との係合部分にシリコン系のゲル２４を介在したので、サスペンションホルダ１４の支持部のダンピングを行うことができる。
【００３０】
なお、上記実施の形態では、ナイフエッジ型支持機構２２のナイフエッジ２２１をベース部材１５の鉛直支持部１５１に設け、係合溝２２２をサスペンションホルダ１４に設けた場合について説明したが、本発明はこれに限らず、上記実施の形態と逆にナイフエッジ２２１をサスペンションホルダ１４に設け、係合溝２２２をベース部材１５の鉛直支持部１５１に設けるようにしてもよいほか、ナイフエッジ型支持機構２２が設けられる箇所も上記実施の形態に示す方式のものに限定されない。
また、上記実施の形態では、チルト用駆動手段１１７のマグネット１１７ａ及びチルト用コイル１１７ｂをサスペンションホルダ１４の下端面とこれに対向するベース部材１５の箇所に設けた場合について説明したが、本発明はこれに限らず、マグネット１１７ａ及びチルト用コイル１１７ｂをサスペンションホルダ１４の左右両端と対向する箇所に設けるようにしてもよい。
また、上記実施の形態に示すナイフエッジ型支持機構２２では、バネ部材２２３によってナイフエッジ２２１のエッジ部２２１ａと係合溝２２２とが係合状態を保持する場合について説明したが、本発明はこれに限らず、例えば、サスペンションホルダ１４の下端面とこれに対向するベース部材１５との間にコイルばねを介在する構成にしても同様な効果が得られる。
【００３１】
【発明の効果】
以上のように、本発明の光ピックアップ及びこれを用いた光ディスク装置によれば、ナイフエッジ型支持機構がサスペンションホルダをベース部材にフォーカシング方向及びトラッキング方向に共に直交する軸線を中心にチルト方向に揺動可能に支持する構成にしたので、光記録媒体のスキュー調整に対する対物レンズのチルト動作が対物レンズのフォーカシング調整及びトラッキング調整に影響するのを軽減できるとともに、光記録媒体のスキュー調整に対する対物レンズのチルト動作を高精度にコントロールすることができる。
【００３２】
また、本発明によれば、サスペンションホルダがベース部材にナイフエッジ型支持機構によって揺動可能に支持される構成にすることにより、サスペンションホルダのチルト方向への回転中心である軸線を対物レンズの光軸と直交するように安定に保持することができるとともに、チルト方向の回転中心である軸線をスキュー調整が対物レンズの光学特性に影響を与えることのない、対物レンズの光軸上に位置する理想的な主点に極めて近接させることができ、これにより、スキュー調整時の対物レンズの性能を損うことがなくなり、ＤＶＤなどの高密度ディスクの記録・再生を好適に行うことができる。
【図面の簡単な説明】
【図１】本発明にかかるスキュー検出装置及び光ピックアップを備えた光ディスク装置の構成を示すブロック図である。
【図２】本発明にかかる光ピックアップの一実施の形態を示す斜視図である。
【図３】図２の３−３線に沿う正面図である。
【図４】図２の４−４線に沿う断面図である。
【図５】本発明の実施の形態におけるナイフエッジと対物レンズとの位置関係を示す説明図である。
【符号の説明】
１０１……光ディスク装置、１０２……光ディスク、１０３……スピンドルモータ、１０４……光ピックアップ、１０５……送りモータ、１０７……システムコントローラ、１０９……サーボ制御部、１１５……スキューセンサ、１１６……スキュー信号処理部、１１７……チルト用駆動手段、１１７ａ……マグネット、１１７ｂ……チルト用コイル、１１８……スキューサーボ制御部、１２……対物レンズ、１３……レンズホルダ、１４……サスペンションホルダ、１５……ベース部材、２０，２１……サスペンションワイヤ、２２……ナイフエッジ型支持機構、２２１……ナイフエッジ、２２１ａ……エッジ部、２２２……係合溝、２２３……バネ部材、２４……シリコン系のゲル。
【図１】
2005025802.tif 000003
【図２】
2005025802.tif 000004
【図３】
2005025802.tif 000005
【図４】
2005025802.tif 000006
【図５】
2005025802.tif 000007